(57)【特許請求の範囲】
【請求項１】
２本のシリンジから異なる二液を所望の体積比で注出するダブルシリンジであって、
先端にノズルを形成するとともに他端が連結され、対向する位置に孔が穿設されたフランジを前記他端に備え、内部に異なる２液が注入される２本のシリンジと、
外壁面の長手方向に凹凸を形成した２本のプランジャの先端に前記シリンジに挿入されシールするガスケットを備え、他端が連結したダブルプランジャと、
前記ダブルプランジャの前記シリンジへの挿入を許容するとともに、前記シリンジからの後退は前記凹凸に係止して許さない、前記シリンジ他端の前記フランジに対向して連設された２つのクリック機構と、
前記各ノズルに栓をするキャップと、
からなり、
前記クリック機構が、
前記フランジに折り返し可能な折り返し部を介して回動可能に連結し前記フランジの上面の受け面に当接する合わせ面と、
前記合わせ面に垂設され前記折り返しに伴い前記孔に係止される係止突起を備えた爪と、
前記合わせ面から垂下する垂下部と、
前記垂下部に連設し前記垂下部とともに断面略Ｖ字状を形成するバネ板と、
前記バネ板の先端に備えられ前記ダブルプランジャの挿入に伴って、前記凹凸に係止されることでクリック音を発生するクリック爪を備えることを特徴とするクリック音機能付ダブルシリンジ。
【請求項２】
前記ノズルを、前記ノズルから注出される二液がノズルから注出された際に混ざり合うことがない距離を保ったノズルとしたことを特徴とする請求項１に記載のクリック音機能付ダブルシリンジ。
【発明の詳細な説明】
【技術分野】
【０００１】
本発明は、異なる成分の二液を定量注出することが可能なダブルシリンジに関する。
【背景技術】
【０００２】
特許文献１に示すように、ラチェット歯と係止歯を設けて、一定長さだけを確実に推し進めて定量注出を可能とした二液注出容器などが公開されている。
【０００３】
しかしながら、特許文献１に記載の発明は、係止歯を形成した操作レバーを押圧して前記係止歯をラチェット歯から解除して、次のラチェット歯までピストンを推し進めることを繰り返して二液を抽出するため、操作が面倒であった。
【０００４】
また、操作レバーを押圧している間だけ前記ラチェット歯と係止歯の解除がされ、その間にピストンを推し進めなければならないため、誤操作を行う可能性が高かった。
【先行技術文献】
【特許文献】
【０００５】
【特許文献１】特開２００３−３４１７４９号公報
【発明の概要】
【発明が解決しようとする課題】
【０００６】
そこで、本発明は、成分の異なる二液を常に同量ずつ抽出することができ、それを視覚、聴覚及び触覚で確認することができ、各液が間隔を保った状態で抽出されるクリック音機能付ダブルシリンジを提供する。
【課題を解決するための手段】
【０００７】
本発明は、上記の課題を解決するために、
２本のシリンジから異なる二液を所望の体積比で注出するダブルシリンジであって、
先端にノズルを形成するとともに他端が連結され、内部に異なる２液が注入される２本のシリンジと、
外壁面の長手方向に凹凸を形成した２本のプランジャの先端に前記シリンジに挿入されシールするガスケットを備え、他端が連結したダブルプランジャと、
前記ダブルプランジャの前記シリンジへの挿入を許容するとともに、前記シリンジからの後退は前記凹凸に係止して許さない、前記シリンジ他端に対向して連設された２つのクリック機構と、
前記各ノズルに栓をするキャップと、
からなり、
前記ダブルプランジャの挿入に伴って、前記クリック機構が前記凹凸に係止されることでクリック音を発生することを特徴とするクリック音機能付ダブルシリンジの構成とした。
【０００８】
また、前記ノズルを、前記ノズルから注出される二液がノズルから注出された際に混ざり合うことがない距離を保ったノズルとしたことを特徴とするクリック音機能付ダブルシリンジの構成とした。
【発明の効果】
【０００９】
本発明は上記のような構成であるため、異なる二液が定量ずつ抽出されているか否かを視覚、聴覚及び触覚で確認すること、並びに各液の残量を目視することができる。
【００１０】
また、抽出された各液が注出後に互いに混ざり合うことなく練り合わせ易い位置にそれぞれ独立して抽出することができる。
【００１１】
また、最低限の部品数で構成されるため操作が簡単で、且つ製造コストを抑えることができる。
【図面の簡単な説明】
【００１２】
【図１】本発明であるクリック音機能付ダブルシリンジの各部正面図である。
【図２】本発明であるクリック音機能付ダブルシリンジの各部左側面図である。
【図３】本発明であるクリック音機能付ダブルシリンジの各部平面図である。
【図４】本発明であるクリック音機能付ダブルシリンジの各部縦断面図である。
【図５】本発明であるクリック音機能付ダブルシリンジの縦断面図である。
【図６】本発明であるクリック音機能付ダブルシリンジの爪部の拡大図である。
【図７】本発明であるクリック音機能付ダブルシリンジの爪部の動きを示した拡大図である。
【図８】本発明であるクリック音機能付ダブルシリンジの使用図である。
【発明を実施するための形態】
【００１３】
以下、添付の図面を参照し、本発明の実施の形態について詳細に説明する。
【実施例１】
【００１４】
先ず、図１から図５を使用して、本発明であるクリック音機能付ダブルシリンジを構成する各部を説明する事とする。
【００１５】
図１は本発明であるクリック音機能付ダブルシリンジの各部正面図、図２はクリック音機能付ダブルシリンジの各部左側面図、図３はクリック音機能付ダブルシリンジの各部平面図、図４はクリック音機能付ダブルシリンジの各部縦断面図、図５はクリック音機能付ダブルシリンジの縦断面図、図６はクリック音機能付ダブルシリンジの爪部の拡大図、図７はクリック音機能付ダブルシリンジの爪部の動きを示した拡大図である。
【００１６】
図１から図５に示すように、本発明であるクリック音機能付ダブルシリンジ１は、２本のシリンジから異なる二液を所望の体積比で注出するダブルシリンジであって、先端にノズル４ｂを形成するとともに他端が連結され、内部に異なる二液が注入される２本のシリンジ４ａ、４ａと、外壁面の長手方向に凹凸２ｄを形成した２本のプランジャ２ａ、２ａの先端に前記シリンジ４ａ、４ａに挿入されシールするガスケット３、３を備え、他端が連結したダブルプランジャ２と、前記ダブルプランジャ２の前記シリンジ４ａ、４ａへの挿入を許容するとともに、前記シリンジ４ａ、４ａからの後退は前記凹凸２ｄに係止して許さない、前記シリンジ他端に対向して連設された２つのクリック機構６、６と、前記各ノズル４ｂ、４ｂに栓をするキャップ５とからなり、前記ダブルプランジャ２の挿入に伴って、前記クリック機構６、６が前記凹凸２ｄ、２ｄに係止されることでクリック音を発生することを特徴とする。
【００１７】
前記ダブルプランジャ２は、先端に嵌入部２ｇを形成し、外壁面の長手方向に凹凸２ｄを形成した２本のプランジャ２ａ、２ａと、前記各プランジャ２ａ、２ａの後端同士を結合する連結部２ｃと、前記連結部２ｃの上部に連設される略円盤状の押下板２ｂとからなる。
【００１８】
前記押下板２ｂは、平面より見ると円形をしており、中央部付近が凸部２ｊを形成しており、また、前記凸部２ｊを挟むようにして凸部２ｊの両側には凹部２ｋ、２ｋが形成されている。尚、前記凸部２ｊ及び凹部２ｋ、２ｋについては、特に限定したものではなく、押下板２ｂを押下しやすくするために形成したものであるため、形成しなくても構わない。
【００１９】
前記プランジャ２ａ、２ａは細長い平板状で正面及び背面の中央よりやや外方に前記プランジャ２ａ、２ａの半分程度の幅の縦補強板２ｅ、２ｅを垂設し、平面から見た場合に略十文字状をしている。また前記プランジャ２ａ、２ａの長手方向の一辺（外方側の辺）には凹凸２ｄが形成されている。
【００２０】
更に、前記プランジャ２ａ、２ａの下端（嵌入部２ｇ側）からは一定間隔で円盤の一部を切り落とした略円盤状の横補強板２ｆ、２ｆ、２ｆ、２ｆが設けられている。
【００２１】
前記嵌入部２ｇは、前記プランジャ２ａ、２ａの先端に連接されており、円柱状をしている。また、前記嵌入部２ｇの先端２ｉは徐々に径が小さくなるテーパー状をしており、前記嵌入部２ｇの中腹部分は拡張部２ｈを形成している。この拡張部２ｈは、後に説明するガスケット３の嵌入孔３ｄに嵌入部２ｇを嵌入した際に、ガスケット３から嵌入部２ｇが容易に外れないようにするために形成したものである。
【００２２】
図１に示すように、前記連結部２ｃは、前記プランジャ２ａの幅よりも大きい径の円柱を一部切り落とした形状をしている。切り落とした部分は、段差２ｌを形成しており、また、前記連結部２ｃとプランジャ２ａの連結部分も段差２ｍを形成している。尚、前記連結部２ｃを平面より見た場合、略８の字状をしている。
【００２３】
前記２本のプランジャ２ａは各々凹凸２ｄを外方側にして平行した状態で連結部２ｃを介して押下板２ｂの下面に垂設されている。
【００２４】
図１から図４に示すように前記ガスケット３は、上端３ｃが開口した有底の筒体３ａからなり、先端３ｂはテーパー状をしている。前記ガスケット３には、有底の嵌入孔３ｄが穿設されており、前記陥入孔２ｄの内壁面の中腹部には拡張部３ｅが形成されている。
【００２５】
前記拡張部３ｅは嵌入孔３ｄに前記嵌入部２ｇを嵌入した際に拡張部２ｈと噛み合う部分であり、この拡張部３ｅと拡張部２ｈの噛み合いにより、ガスケット３と嵌入部２ｇが容易に外れないようになっている。
【００２６】
図１から図４に示すように、前記シリンジ４ａは、前記ガスケット３を取り付けた各プランジャ２ａ、２ａを挿入する筒状をしており、下端は徐々に径が小さくなるテーパー状をした後、先端に最も径の小さいノズル４ｂを形成している。
【００２７】
前記シリンジ４ａ（テーパー部及びノズル４ｂ以外）の内径は前記ガスケット３の筒体３ａの外径とほぼ等しい。
【００２８】
前記シリンジ４ａ、４ａの上端部は平面形状が多角形の平板であるフランジ４ｄに垂設されており、前記シリンジ４ａ、４ａのテーパー部のやや上側同士は突起４ｃにより連結されている。尚、フランジ４ｄと連結した前記シリンジ４ａ、４ａの上端は開口している。また、フランジ４ｄの平面形状を多角形とすることでダブルシリンジ４の転がりを防止することができ、延いてはクリック音機能付ダブルシリンジ１の転がりを防止することができる。
【００２９】
図３に示すように、前記フランジ４ｄに設けたシリンジ４ａ、４ａの開口部の脇にはそれぞれ孔４ｅ、４ｅが穿設されている。前記孔４ｅ、４ｅは、前記開口部の中心同士を結んだ延長線上にある。また、図４に示すように、前記孔４ｅ、４ｅの内壁面の一部は傾斜４ｆが形成されている。
【００３０】
前記孔４ｅ、４ｅの更に外方には、クリック機構６、６が形成されている。図６（Ａ）に示すように、縦断面より見た場合に前記クリック機構６は、薄い平板で中央から右方は一度下方に向かって垂直に降下し、更に右斜め上方に向かって折り返した略Ｖ字状をしている。前述の右斜め上方に向かって折り返した部分はバネ板６ｃであり、このバネ板６ｃの端部は前述の下方に向かって垂直に下降した部分（垂直部６ｇ）に対して、垂直である。
【００３１】
前記クリック機構６の端部は更に傾斜６ｄを形成しており、傾斜６ｄの端部（鋭角部分）はクリック爪６ｅである。また、クリック機構６の垂直面６ｇよりも左方の上面は合わせ面６ｆであり、前記合わせ面６ｆには上方に向かって爪６ａが垂設している。前記爪６ａの先端は右方に向かって係止突起６ｂが形成されている。
【００３２】
前記クリック機構６の合わせ面６ｆの左端は厚みが薄くなっており、フランジ４ｄの端部に回動可能に連結されている。尚、この連結部分を折返し部４ｇとした。
【００３３】
図６各図に示すように、前記フランジ４ｄの外周面のうち、前記クリック機構６を連結した部分（折返し部４ｇ）は欠切４ｈを形成し、傾斜している。また、前記フランジ４ｄの外周部分の上面のうち、前記クリック機構６を連結した部分（折返し部４ｇ）と前記孔４ｅの間の部分は受け面４ｉであり、この受け面４ｉは前記クリック機構６を折返し部４ｇから１８０°折り返した際に前記合わせ面６ｆと重なり合う面となっている。
【００３４】
尚、前記フランジ４ｄには、２つのクリック機構６、６が対向するように設けられており、それぞれのクリック機構６、６は同径同大であるが、他方のクリック機構６は前述のクリック機構６（段落００３０〜００３３で説明したクリック機構６）を左右反転したものである。
【００３５】
図１から図４に示すように、前記キャップ５は、略直方体の上面及び正面側の中腹より上部を開口５ｄし、更に正面、背面及び左右側面の中腹より下側を内方にむかって僅かにくびれ５ｃさせた本体５ａと、前記本体５ａの下部に連設される横幅及び奥行きの最も広い平板状の土台部５ｂからなる。
【００３６】
前記キャップ５の内部中央には内部空間を左右に等分するリブ５ｆが設けられており、前述の左右に等分された内部空間の各底部には、上面が開口した円柱状の内キャップ５ｇ、５ｇが垂設されており、更に前記内キャップ５ｇ、５ｇの内部底面の中央には突起５ｉ、５ｉが垂設している。即ち、内キャップ５ｇ、５ｇの内部は中空５ｈとなっている。尚、符号５ｅは本体５ａの背面板を示している。
【００３７】
前記内キャップ５ｇ、５ｇの内径は、前記ノズル４ｂの外径とほぼ等しく、前記内キャップ５ｇにノズル４ｂを嵌入することができる。また、前記突起５ｉ、５ｉの外径と前記ノズル４ｂの内径はほぼ等しく、前記ノズル４ｂ内に突起５ｉを嵌入することができる。
【００３８】
前記ノズル４ｂ部分に前記キャップ５を装着する際、ダブルシリンジ４の向きとキャップ５の向きを間違った場合、ダブルシリンジ４に設けた突起４ｃがキャップ５のリブ５ｆにぶつかるためノズル４ｂにキャップ５を装着できない。従って、キャップ５は常に同方向で装着されるため誤装着によるペースト残り等のコンタミを防止することができる。
【００３９】
次に図５から図８を使用して、本発明であるクリック音機能付ダブルシリンジ１の使用工程を説明する事とする。
【００４０】
図５から図８に示すように、まず、ダブルシリンジ４の一方のシリンジ４ａに第一液７を注入し、他方のシリンジ４ａに第二液７ａを注入する。
【００４１】
次に、図５に示すように、ガスケット３、３を前記各シリンジ４ａ、４ａに挿入する。
【００４２】
次に、図６に示すように、フランジ４ｄの外周面に対向して連結している各クリック機構６、６を図６（Ｂ）（Ｃ）のように折返し部４ｇから１８０°回転させて前記受け面４ｉと合わせ面６ｆを重ね合わせる。このとき、前記爪６ａは孔４ｅに差し込まれた状態となり、クリック爪６ｅはシリンジ４ａの中心に向かって突出した状態となる。
【００４３】
次に、図５に示すように、ダブルプランジャ２の各プランジャ２ａ、２ａを前記各シリンジ４ａ、４ａに挿入し、前記各プランジャ２ａ、２ａに設けた嵌入部２ｇ、２ｇを嵌入孔３ｄ、３ｄに嵌入して、ダブルプランジャ２にガスケット３、３を取り付け、各液の注出準備が完了する。尚、このとき、キャップ５はダブルシリンジ４に取り付けた状態としておく。即ち、内キャップ５ｇ、５ｇにノズル４ｂ、４ｂを挿入し、同時にノズル４ｂ、４ｂに突起５ｉ、５ｉを挿入した状態である。以上の状態で本発明であるクリック音機能付ダブルシリンジ１のセットは完了する。
【００４４】
次に、上述のセット完了後、使用方法及び使用中の各部の状態を説明する。まず、図５の状態からキャップ５を外し、ダブルプランジャ２をゆっくりと押下して各ノズル４ｂ、４ｂから第一液７及び第二液７ａを抽出する。
【００４５】
前記ダブルプランジャ２を押下すると、各プランジャ２ａ、２ａに形成されている凹凸２ｄ、２ｄの先端は、図７（Ｄ）に示すように、クリック機構６の傾斜６ｄに接し、更にプランジャ２の押下を進めると前記凹凸２ｄ、２ｄの先端が傾斜６ｄ上を移動すると同時にバネ板６ｃ前端が外方に向かって押し広げられる。
【００４６】
図７（Ｅ）に示すように、前記凹凸２ｄ、２ｄの先端とクリック爪６ｅの位置が重なるとき、前記バネ板６ｃは最も押し広げられた状態となり、元の位置に戻ろうとする。
【００４７】
そして、更にダブるプランジャ２を押下すると、前記凹凸２ｄ、２ｄの先端はクリック爪６ｅを通過し、クリック爪６ｅの押し広げられた状態が解除されて元の位置に戻る。この、クリック爪６ｅが凹凸２ｄの先端から外れる瞬間にクリック音が発生する。
【００４８】
各クリック機構６、６においてクリック音を発生するため、この両クリック機構６、６で発生するクリック音が同時に鳴っているときは、前記各プランジャ２ａ、２ａが同時に押下していることとなる。即ち、クリック音がズレているときは、同量ずつの注出がされてはおらず、このクリック音に注意することで片押しを防止することができる。
【００４９】
また、ダブルプランジャ２を押下する指にはクリック爪６ｅが凹凸２ｄから解除される際に微振動を起こすため、指に伝わる振動でも各プランジャ２ａ、２ａが同時に押下しているかどうか感じることができる。
【００５０】
更に、前記段差２ｍとフランジ４ｄの距離を見ることで、各シリンジ４ａ、４ａ内の第一液７及び第二液７ａの残量を知ることができる。
【００５１】
即ち、クリック音と微振動により定量押し出しを可能とし、段差２ｍとフランジ４ｄの間隔を見ることで残量を知ることができる。
【００５２】
図８に示すように、ダブルプランジャ２の押下を進めると、第一液７及び第二液７ａが距離Ｈを保って同量ずつ抽出され、注出後に勝手に混ざり合うことがない。即ち、前記ノズル４ｂに、前記ノズル４ｂから注出される二液がノズル４ｂから注出された際に混ざり合うことがない距離Ｈを保つために、ノズル４ｂ、４ｂの間に距離Ｇを設けた。
【産業上の利用可能性】
【００５３】
本発明であるクリック音機能付ダブルシリンジは、各シリンジに充填されている二液を抽出する際に、二液が同量ずつ抽出されているか否かを視覚、聴覚及び触覚で確認することができるため、二液の注出量の正確性が求められる様々な業界に多大な貢献をもたらす。
【符号の説明】
【００５４】
１      クリック音機能付ダブルシリンジ
２      ダブルプランジャ
２ａ    プランジャ
２ｂ    押下板
２ｃ    連結部
２ｄ    凹凸
２ｅ    縦補強板
２ｆ    横補強板
２ｇ    嵌入部
２ｈ    拡張部
２ｉ    先端
２ｊ    凸部
２ｌ    段差
２ｋ    凹部
２ｍ    段差
３      ガスケット
３ａ    筒体
３ｂ    先端
３ｃ    上端
３ｄ    嵌入孔
３ｅ    拡張部
４      ダブルシリンジ
４ａ    シリンジ
４ｂ    ノズル
４ｃ    突起
４ｄ    フランジ
４ｅ    孔
４ｆ    傾斜
４ｇ    折返し部
４ｈ    切欠
４ｉ    受け面
５      キャップ
５ａ    本体
５ｂ    土台部
５ｃ    くびれ
５ｄ    開口
５ｅ    背面板
５ｆ    リブ
５ｇ    内キャップ
５ｈ    中空
５ｉ    突起
６      クリック機構
６ａ    爪
６ｂ    係止突起
６ｃ    バネ板
６ｄ    傾斜
６ｅ    クリック爪
６ｆ    合わせ面
６ｇ    垂直部
７      第一液
７ａ    第二液
【図１】
0005711587.tif 000002
【図２】
0005711587.tif 000003
【図３】
0005711587.tif 000004
【図４】
0005711587.tif 000005
【図５】
0005711587.tif 000006
【図６】
0005711587.tif 000007
【図７】
0005711587.tif 000008
【図８】
0005711587.tif 000009